(57)【要約】【課題】移動端末との間で無線通信する無線通信装置に関し、受信経路の正常性を簡単な構成により監視する。【解決手段】移動端末からの送信信号を受信するアンテナからの高周波信号の帯域内の周波数の高周波信号を発生する信号生成回路５と、この信号生成回路５を動作状態として発生させた高周波信号をアンテナからの高周波信号の代わりに入力する低雑音増幅器１による増幅段と、周波数変換部３による周波数変換段と、ＡＤ変換器４によるディジタル変換段とを含む受信経路に於ける前記ディジタル変換段によるディジタル信号と期待値とを比較し、ディジタル信号と期待値との差分が所定の範囲内の時に、受信経路が正常と判定する比較回路８と、信号生成回路５と比較回路８との動作開始及び停止を制御する制御回路６とを備えている。【選択図】図１
2007300530.tif 000002
【特許請求の範囲】
【請求項１】
移動端末との間で無線通信する無線通信装置に於いて、
前記移動端末からの送信信号を受信するアンテナからの高周波信号の帯域内の周波数の高周波信号を発生する信号生成回路と、
該信号生成回路を動作状態として発生させた高周波信号を前記アンテナからの高周波信号の代わりに入力する増幅段と、周波数変換段と、ディジタル変換段とを含む受信経路に於ける前記ディジタル変換段によるディジタル信号と期待値とを比較し、前記ディジタル信号と前記期待値との差分が所定の範囲内の時に前記受信経路が正常と判定する比較回路と、
前記信号生成回路と前記比較回路との動作開始及び停止を制御する制御回路と
を備えたことを特徴とする無線通信装置。
【請求項２】
前記アンテナからの高周波信号の前記増幅段と、前記周波数変換段と、前記ディジタル変換段とを含む受信経路の前記増幅段に高周波信号を入力する為の第１の信号生成回路と、前記周波数変換段に高周波信号を入力する為の第２の信号生成回路と、前記ディジタル変換段に中間周波信号を入力する為の第３の信号生成回路と、前記第１、第２、第３の各信号生成回路を前記比較回路の判定結果に応じて順次動作状態とするように制御する制御回路とを備えたことを特徴とする請求項１記載の無線通信装置。
【請求項３】
前記信号生成回路は、正弦波信号を出力する構成を有し、前記比較回路は、前記正弦波信号の振幅対応のディジタル信号を期待値として、前記ディジタル変換段の出力のディジタル信号と比較する構成を有することを特徴とする請求項１又は２記載の無線通信装置。
【請求項４】
前記移動端末がサービスエリア内に存在しないか又は存在しても通信していないことを検出した時に、前記制御回路による前記信号生成回路の制御を開始させる判定回路を備えたことを特徴とする請求項１又は記載の無線通信装置。
【発明の詳細な説明】
【技術分野】
【０００１】
本発明は、受信系統の障害の有無を判定可能とした無線通信装置に関する。
【背景技術】
【０００２】
無線通信装置として、例えば、移動無線通信システムに於ける基地局は、それぞれ隣接するサービスエリアが一部重なるように分散配置され、各基地局は、移動端末に対して送信処理する送信部と、移動端末の送信信号を受信処理する受信部と、上位の制御局との間で有線通信処理を行う送受信部とを含む構成を有するもので、受信部は、アンテナで受信した信号を増幅する低雑音増幅器と、不要信号成分を除去するバンドパスフィルタと、周波数変換部と、ＡＤ変換部と、復調部と、ベースバンド処理部とを含む構成を有し、それらの何れかに障害が発生すると、移動端末からの送信信号を受信処理することができなくなる。又基地局は、小型化と経済化とが要望されていることにより、余分な機能を含まない構成が一般的である。
【０００３】
しかし、無線通信装置は、障害が発生する場合もあり、障害発生時には、無線通信ができなくなる。そこで、従来の無線通信装置に於いて、その受信部の障害の有無を監視する手段として、例えば、無線周波数対応の複数の受信機と予備受信機とを備えて、ｎ：１の現用予備切替方式を適用した基地局に於いて、各受信機は、無変調の無線信号の入力の場合に受信出力を断とする構成を有し、信号発生器から無変調の信号を入力して、スケルチ回路が動作するか否かにより受信機の良否を判定し、異常判定の場合は、予備受信機に切り替える手段が知られている（例えば、特許文献１参照）。又移動無線通信システムの基地局に於いて、受信増幅器の前段と後段とにそれぞれ周波数が異なるパイロット信号を入力し、異常検出手段により、それらのパイロット信号を検波し、周波数が異なるパイロット信号対応の検波出力を比較して、受信増幅器が正常か否かを判定する手段も知られている（例えば、特許文献２参照）。
【０００４】
又受信信号を増幅する複数の増幅器に対して、パイロット信号発生器からのパイロット信号を順次切替えて、各増幅器に時分割的に入力し、各増幅器の出力信号を合成してパイロット信号成分を分離し、各増幅器対応の出力パイロット信号を、各増幅器に対する入力パイロット信号のタイミング情報を基に識別して、正常か否かを判定する手段も知られている（例えば、特許文献３参照）。又パイロット信号を、方向性結合器を介して受信増幅器に入力し、増幅出力信号からパイロット信号成分を抽出して、そのレベルに基づいて、受信増幅器の正常性を判定する手段も知られている（例えば、特許文献４参照）。
【特許文献１】特開昭５８−１７７４０号公報
【特許文献２】特開２００１−７７７６７号公報
【特許文献３】特開２００１−２７４７５６号公報
【特許文献４】特開２００２−２２３１９６号公報
【発明の開示】
【発明が解決しようとする課題】
【０００５】
移動無線通信システムの基地局等の無線通信装置は、無線信号の送信部と受信部とを含み、受信部のアナログ信号処理部分は、アンテナにより受信した信号を増幅する低雑音増幅器と、不要信号成分を除去するバンドパスフィルタと、無線周波数を中間周波数に変換する周波数変換部とを含む構成が一般的である。又基地局は、多数分散配置され、それぞれ前述のように、小型化と経済化とが要望されるものであるから、前述の特許文献１〜４に示されているような故障検出や正常性判定の手段を付加した構成を備えていない場合が一般的である。
【０００６】
従って、製品として工場出荷前に、各種測定器を用いて試験を行って正常性を確認し、且つ所定の特性が得られように調整することが可能であるが、現地に設置して稼働状態とすると、異常発生時は、保守要員が試験装置を持参して障害個所を特定し、修理して正常状態に復帰させる必要がある。そこで、少し大型化とコストアップとなるが、前述の特許文献１〜４に示すような正常性判定手段を設けることが考えられる。その場合、特許文献１の従来の技術は、無変調の無線信号が入力された時に、出力を断とする構成を前提としているから、例えば、無変調の外来波により出力断となり、基地局等の無線通信装置には適用することができないものである。
【０００７】
又前述の特許文献２の従来の技術は、周波数の異なるパイロット信号の発生手段と、増幅出力パイロット信号を周波数対応に分離検出してレベル比較を行う手段とを必要とし、それらのパイロット信号を受信増幅器で増幅した出力信号のレベル比を基に受信増幅器の正常性を判定するものであり、２個の周波数のパイロット信号の発生手段又はパイロット信号の周波数を切替えて出力する発生手段を必要とし、パイロット信号は、無線信号周波数帯域外に選定する必要があることによって、受信増幅器の特性を充分には監視することができないと共に、コストアップとなる問題がある。
【０００８】
又前述の特許文献３の従来の技術は、パイロット信号を時分割で複数の受信増幅器に入力し、パイロット信号を受信増幅器に入力したタイミングに於ける増幅出力パイロット信号を抽出する複雑な構成を必要とするから、大型化とコストアップとなる問題がある。又前述の特許文献４の従来の技術もパイロット信号を受信増幅器に入力するもので、パイロット信号は、信号周波数帯と異なる周波数を使用するから、信号周波数帯を通過帯域とする一般のバンドパスフィルタを用いる場合、パイロット信号は通過を阻止されることになる。従って、バンドパスフィルタは、信号周波数帯とパイロット信号周波数とを通過帯域とする構成が必要となり、信号周波数帯の特性劣化とコストアップとの問題が生じる。
【０００９】
本発明は、前述の従来の問題点を解決するもので、比較的簡単な構成により、受信部の正常性の判定を可能とする。
【課題を解決するための手段】
【００１０】
本発明の無線通信装置は、移動端末との間で無線通信する無線通信装置に於いて、前記移動端末からの送信信号を受信するアンテナからの高周波信号の帯域内の周波数の高周波信号を発生する信号生成回路と、該信号生成回路を動作状態として発生させた高周波信号を前記アンテナからの高周波信号の代わりに入力する増幅段と、周波数変換段と、ディジタル変換段とを含む受信経路に於ける前記ディジタル変換段によるディジタル信号と期待値とを比較し、前記ディジタル信号と前記期待値との差分が所定の範囲内の時に前記受信経路が正常と判定する比較回路と、前記信号生成回路と前記比較回路との動作開始及び停止を制御する制御回路とを備えている。
【００１１】
前記アンテナからの高周波信号の前記増幅段と、前記周波数変換段と、前記ディジタル変換段とを含む受信経路の前記増幅段に高周波信号を入力する為の第１の信号生成回路と、前記周波数変換段に高周波信号を入力する為の第２の信号生成回路と、前記ディジタル変換段に中間周波信号を入力する為の第３の信号生成回路と、前記第１、第２、第３の各信号生成回路を前記比較回路の判定結果に応じて順次動作状態とするように制御する制御回路とを備えている。
【００１２】
前記信号生成回路は、正弦波信号を出力する構成を有し、前記比較回路は、前記正弦波信号の振幅対応のディジタル信号を期待値として、前記ディジタル変換段の出力のディジタル信号と比較する構成を備えている。
【００１３】
前記移動端末がサービスエリア内に存在しないか又は存在しても通信していないことを検出した時に、前記制御回路による前記信号生成回路の制御を開始させる判定回路を備えている。
【発明の効果】
【００１４】
信号生成回路は、受信経路の増幅段に入力する帯域内の周波数で無変調の信号を発生させる構成で済むから、簡単な構成とすることが可能であり、又正常性判定は、ディジタル処理により行うことにより、比較回路も簡単な構成で済む利点がある。従って、コストアップとなることなく、無線通信装置の信頼性を向上することが可能となる。
【発明を実施するための最良の形態】
【００１５】
本発明の無線通信装置は、図１を参照して説明すると、移動端末との間で無線通信する無線通信装置に於いて、移動端末からの送信信号を受信するアンテナからの高周波信号の帯域内の周波数の高周波信号を発生する信号生成回路５と、この信号生成回路５を動作状態として発生させた高周波信号をアンテナからの高周波信号の代わりに入力する低雑音増幅器１による増幅段と、周波数変換部３による周波数変換段と、ＡＤ変換器４によるディジタル変換段とを含む受信経路に於ける前記ディジタル変換段によるディジタル信号と期待値とを比較し、ディジタル信号と期待値との差分が所定の範囲内の時に、受信経路が正常と判定する比較回路８と、信号生成回路５と比較回路８との動作開始及び停止を制御する制御回路６とを備えている。
【実施例１】
【００１６】
図１は、本発明の実施例１の説明図であり、１は低雑音増幅器（ＬＮＡ：Ｌｏｗ  Ｎｏｉｓｅ  Ａｍｐｌｉｆｉｅｒ）、２はバンドパスフィルタ（ＢＰＦ）、３は周波数変換部、４はＡＤ変換器（Ａ／Ｄ  Ｃｏｎｖ）、５は信号生成回路（回路Ａ）、６は制御回路、７は期待値回路、８は比較回路を示す。図示を省略したアンテナによる受信信号を、増幅段を構成する低雑音増幅器１により増幅し、この無線周波数のＲＦ信号を、バンドパスフィルタ２により不要帯域の信号を除去して、周波数変換段を構成する局部発振器と混合回路とを含む周波数変換部３に入力し、中間周波数のＩＦ信号に変換して、ディジタル変換段を構成するＡＤ変換器４によりディジタル信号に変換し、図示を省略した復調回路を含むディジタル信号処理部に転送して、信号処理し、例えば、上位局へ転送する。
【００１７】
信号生成回路５は、制御回路６により、動作、停止が制御され、動作時には、バンドパスフィルタ２の通過帯域内の周波数の無変調の正弦波信号を出力する構成とすることができる。又期待値回路７は、信号生成回路５の出力信号を周波数変換部３により中間周波数のＩＦ信号に変換し、この無変調のＩＦ信号を更にＡＤ変換器４によりディジタル信号に変換した時のディジタル値に相当する値を期待値として出力する。例えば、ＩＦ信号の正負のピーク値を示すディジタル値を期待値とすることができる。又正負ピーク値の中間値も期待値とすることができる。これらの期待値は、例えば、０ｘ００００，０ｘ７ＦＦＦ，０ｘＦＦＦＦ，０ｘ７ＦＦＦ，０ｘ００００の繰り返しとして、ＩＦ信号に同期させて期待値を出力し、ＩＦ信号のディジタル信号と比較することができる。又は、負のピーク値０ｘ００００と、中間値０ｘ７ＦＦＦと、正のピーク値０ｘＦＦＦＦとを出力し、ＩＦ信号に同期させて比較する構成とすることも可能である。
【００１８】
比較回路８は、ディジタル信号とディジタルの期待値との差分を求め、この差分が０を含む所定範囲内の場合は、ＲＦ信号段とＩＦ信号段との構成は正常と判定する判定信号を出力し、差分が所定範囲を超えている場合は、障害発生の判定信号を出力する。この障害発生の判定信号の場合、例えば、図示を省略している制御手段により、上位局へ転送して、障害発生を通知し、又無線通信装置の障害表示ランプ点灯等を行って、保守要員に通知することができる。なお、信号生成回路５を動作状態とする場合、アンテナによる受信信号がない時を選択することが望ましいものであり、受信経路は、従来の構成をそのままとし、信号生成回路５からのＲＦ信号を、高周波スイッチ回路等の既に知られている構成を適用して低雑音増幅器１に入力することにより、信号生成回路５からのＲＦ信号を変換したＩＦ信号をディジタル信号に変換し、動作状態とした比較回路８に入力することができるから、受信経路が正常であれば、ディジタルの期待値に近似した値となることにより、受信経路の正常性の判定を行うことができる。
【００１９】
図２は、高周波スイッチ回路の説明図であり、１は前述の低雑音増幅器、５は前述の信号生成回路、Ｃ１〜Ｃ３はコンデンサ、Ｄ１，Ｄ２はダイオード、Ｌ１，Ｌ２はチョークコイル、Ｓ１，Ｓ２は前述の制御回路６からの制御信号を示す。通常は、制御信号Ｓ１をハイレベル、制御信号Ｓ２をローレベルとして、ダイオードＤ１をオン状態、ダイオードＤ２をオフ状態として、アンテナからのＲＦ信号を低雑音増幅器１に入力して、増幅する構成とする。
【００２０】
信号生成回路５を動作状態として、その出力のＲＦ信号を低雑音増幅器１に入力する場合、制御信号Ｓ１をローレベル、制御信号Ｓ２をハイレベルとして、ダイオードＤ１をオフ状態、ダイオードＤ２をオン状態として、アンテナからのＲＦ信号をオフとし、信号生成回路５からのＲＦ信号を、コンデンサＣ３、ダイオードＤ２、コンデンサＣ２を介して低雑音増幅器１に入力する。なお、低雑音増幅器１に対して、アンテナからのＲＦ信号と、信号生成回路５からのＲＦ信号とを切替えて入力する高周波スイッチ回路は、既に知られている他の構成を適用することも可能である。
【００２１】
図３は、本発明の実施例１のフローチャートを示し、低雑音増幅器１等の各部の通常動作状態（Ａ１）に於いて、回路Ａ  ＯＮとして示すように、信号生成回路５を制御回路６からの制御により動作状態とし（Ａ２）、且つ制御回路６からの制御により比較回路８を動作状態として、ＡＤ変換器４により変換したディジタル信号とディジタルの期待値との比較を行わせ（Ａ３）、回路Ａ  ＯＦＦとして示すように、信号生成回路５の動作を停止させ（Ａ４）、比較回路８による期待値とＡＤ変換器４の出力のディジタル信号とを比較判定して（Ａ５）、期待値とディジタル信号との差分が所定範囲内の場合は、正常終了（Ａ６）とし、差分が所定範囲を超えている場合は、比較回路８に於ける判定機能により故障通知（Ａ７）を行う。なお、ステップ（Ａ４）の前に、比較判定処理のステップ（Ａ５）を実行することも可能である。
【００２２】
前述のように、低雑音増幅器１とバンドパスフィルタ２と周波数変換部３とＡＤ変換器４との受信経路の正常性を、信号生成回路５と比較回路８とにより判定することができるものであり、信号生成回路５は、バンドパスフィルタ２の通過帯域内の周波数の信号を生成する比較的簡単な構成で済み、又期待値と比較する比較回路８は、ディジタル処理構成であり、後段の図示を省略したディジタル信号処理部の機能により実現することも可能であるから、正常性判定の為の構成を付加しても、大型化及びコストアップとなることがなく、無線通信装置の信頼性を向上することができる。
【実施例２】
【００２３】
図４は、本発明の実施例２の説明図であり、図１と同一符号は同一部分を示し、第１の信号生成回路５（回路Ａ）と共に、第２の信号生成回路１０（回路Ｂ）と、第３の信号生成回路１１（回路Ｃ）とを設け、期待値回路７は、第１〜第３の信号生成回路５，１０，１１に対応した期待値Ａ，Ｂ，Ｃを出力する構成とし、制御回路６により、第１〜第３の信号生成回路５，１０，１１を選択して動作開始を制御すると共に、期待値回路７からの期待値Ａ，Ｂ，Ｃを、信号生成回路５，１０，１１の動作に対応して選択出力するように制御する。なお、第２の信号生成回路１０は、第１の信号生成回路５と同一構成とすることができるから、第１の信号生成回路５からのＲＦ信号を、周波数変換部３に入力するように切替回路を設けることができる。又第３の信号生成回路１１は、ＩＦ信号を出力する構成とする。
【００２４】
又第１の信号生成回路５と低雑音増幅器１との間と、第２の信号生成回路１０と周波数変換部５との間と、第３の信号生成回路１１とＡＤ変換器４との間に、例えば、図２に示す高周波スイッチ回路を設けて、制御回路６から制御し、ＲＦ信号又はＩＦ信号を切替えて、増幅段を構成する低雑音増幅器１又は周波数変換段を構成する周波数変換部３又はディジタル変換段を構成するＡＤ変換器４に入力する構成とすることができる。又制御回路６は、比較回路８からの判定信号に従って第１〜第３の信号生成回路５，１０，１１を順次動作状態とするように制御し、且つ期待値回路７からの期待値を順次Ａ，Ｂ，Ｃとするように制御する。そいて、制御回路６は、信号生成回路５を動作状態として、比較回路８からの判定信号が正常であることを示す場合、アンテナからＡＤ変換器４までの受信経路は正常と判定する。又正常でないことを示す場合、信号生成回路５の動作を停止し、信号生成回路１０を動作状態とする。
【００２５】
この第２の信号生成回路１０を動作状態としてＲＦ信号を周波数変換部３に入力した場合、比較回路８の判定信号が正常であることを示す場合、低雑音増幅器１に障害が発生していると判定することができる。又比較回路８からの判定信号が正常でないことを示す場合、周波数変換部３とＡＤ変換部４との何れか又は両方に障害が発生していることになり、第２の信号生成回路１０の動作を停止し、第３の信号生成回路１１を動作状態とする。この動作状態とした第３の信号生成回路１１からのＩＦ信号をＡＤ変換器４に入力し、比較回路８の判定信号が正常であることを示す場合、周波数変換部３に障害が発生していることになる。又判定信号が正常でないことを示す場合は、ＡＤ変換器４も障害発生となっていると判断することができる。
【００２６】
図５は、本発明の実施例２のフローチャートであり、低雑音増幅器１等の各部の通常動作状態（Ｂ１）に於いて、回路Ａ  ＯＮとして示すように、第１の信号生成回路５を制御回路６からの制御により動作状態とし（Ｂ２）、且つ制御回路６からの制御により比較回路８を動作状態として、ＡＤ変換器４により変換されたディジタル信号と期待値Ａとの比較を行わせ（Ｂ３）、回路Ａ  ＯＦＦとして示すように、信号生成回路５の動作を停止させ（Ｂ４）、比較回路８により期待値ＡとＡＤ変換器４の出力のディジタル信号とを比較判定し（Ｂ５）、期待値Ａとディジタル信号との差分が所定範囲内の場合は、正常終了（Ｂ６）とし、差分が所定範囲を超えている場合は、低雑音増幅器１と、周波数変換部３と、ＡＤ変換器４との何れかの障害発生によるものであるから、回路Ｂ  ＯＮとして示すように、第２の信号生成回路１０を動作状態とする（Ｂ７）。
【００２７】
第２の信号生成回路１０は、前述のように、第１の信号生成回路５と同一のＲＦ信号を出力する構成とすることができるものであり、制御回路６は、第２の信号生成回路１０を動作させると共に、期待値回路７から期待値Ｂを比較回路８に出力するように制御する（Ｂ８）。そして、回路Ｂ  ＯＦＦとして示すように、第２の信号生成回路１０の動作を停止させ（Ｂ９）、比較回路８により、期待値ＢとＡＤ変換器４の出力のディジタル信号とを比較判定し（Ｂ１０）、期待値Ｂとディジタル信号との差分が所定範囲内の場合は、周波数変換部３とＡＤ変換器４は正常であり、Ａ部故障通知（Ｂ１１）として示すように、第１の信号生成回路５（回路Ａ）からの信号を入力した低雑音増幅器１の障害発生と判定することができる。
【００２８】
又ステップ（Ｂ１０）に於いて、期待値ＢとＡＤ変換器４の出力のディジタル信号との差分が所定範囲を超えている場合は、回路Ｃ  ＯＮとして示すように、第３の信号生成回路１１（回路Ｃ）を動作状態とする（Ｂ１２）。この第３の信号生成回路１１は、ＩＦ信号を出力してＡＤ変換器４に入力し、期待値回路７の期待値Ｃと、ＡＤ変換器４の出力のディジタル信号とを比較回路８により比較し（Ｂ１３）、回路Ｃ  ＯＦＦとして示すように、第３の信号生成回路１１の動作を停止させ（Ｂ１４）、期待値ＣとＡＤ変換器４の出力のディジタル信号との比較による差分が所定範囲内か否かを判定し（Ｂ１５）、所定の範囲内の場合は、Ｂ部故障通知として示すように、周波数変換部３の障害発生と判定し（Ｂ１６）、所定の範囲内でない場合は、Ｃ部故障通知として示すように、ＡＤ変換器４の障害発生と判定する（Ｂ１７）。即ち、信号生成回路５，１０，１１を順次動作させることにより、障害発生個所を特定することができる。
【実施例３】
【００２９】
図６は、本発明の実施例３の説明図であり、図１と同一符号は同一部分を示し、２１は復調回路、２２はユーザ有無を判定する判定回路である。この判定回路２２は、移動端末がサービスエリア内に存在していないか、又は存在しても送信していない状態かを判定するものであり、例えば、Ｗ−ＣＤＭＡ方式に於いては、復調回路２１による復調信号のＰＲＡＣＨ（Ｐｈｙｓｉｃａｌ  Ｒａｎｄｏｍ  Ａｃｃｅｓｓ  Ｃｈａｎｎｅｌ）信号を一定期間受信していない場合、又はＲＲＣ（Ｒａｄｉｏ  Ｒｅｓｏｕｒｃｅ  Ｃｏｎｔｏｒｏｌ）設定の有無、呼処理信号の有無等により判定することができる。
【００３０】
ユーザ有無の判定回路２２により、ユーザ無し、即ち、移動端末がサービスエリア内に存在していない場合、又は移動端末が通信していないと判定すると、制御回路６にユーザ無しを通知する。制御回路６は、信号生成回路５と比較回路８とを動作状態とし、信号生成回路５からのＲＦ信号を低雑音増幅器１に入力する。制御回路６は、その下方に示すように、基準信号ｂに同期して、信号生成回路５を、タイミング信号ａに示すように制御して、ＲＦ信号を発生して、低雑音増幅器１に入力する。又そのタイミング信号ａを比較回路８にも入力して、比較判定のタイミング信号とすることができる。
【００３１】
このユーザ有無の判定回路２２を、前述の実施例２についても適用し、移動端末がサービスエリア内に存在しない場合又は存在しても通信していない場合に、比較判定結果に応じて、第１〜第３の信号生成回路５，１０，１１の動作を、順次制御する構成とすることも可能である。
【図面の簡単な説明】
【００３２】
【図１】本発明の実施例１の説明図である。
【図２】高周波スイッチ回路の説明図である。
【図３】本発明の実施例１のフローチャートである。
【図４】本発明の実施例２の説明図である。
【図５】本発明の実施例２のフローチャートである。
【図６】本発明の実施例３の説明図である。
【符号の説明】
【００３３】
１  低雑音増幅器
２  バンドパスフィルタ
３  周波数変換部
４  ＡＤ変換器（Ａ／Ｄ  Ｃｏｎｖ）
５  信号生成回路（回路Ａ）
６  制御回路
７  期待値回路
８  比較回路
【図１】
2007300530.tif 000003
【図２】
2007300530.tif 000004
【図３】
2007300530.tif 000005
【図４】
2007300530.tif 000006
【図５】
2007300530.tif 000007
【図６】
2007300530.tif 000008